Podtech/llm-jp-corpus-v4-ja_patent huggingface dataset:
【手続補正書】
【提出日】平成27年6月18日(2015.6.18)
【手続補正１】
【補正対象書類名】特許請求の範囲
【補正対象項目名】全文
【補正方法】変更
【補正の内容】
【特許請求の範囲】
【請求項１】
構造物（３０）の構造健全性（１７２）を監視するシステムであって、
インク沈着プロセスにより前記構造物（３０）の上に沈着された、ナノ粒子インクベースの圧電センサアセンブリ（１２０）の分散ネットワークであって、各アセンブリが、
複数のナノ粒子インクベースの圧電センサ（１１０）と、
前記複数のセンサ（１１０）を相互接続する複数の導電性インク電源及び通信線アセンブリ（１４０）と、を含む、ネットワークと、
前記分散ネットワークに電力を供給する電源（１７８）と、
前記センサ（１１０）からの一又は複数の信号を介して前記構造物（３０）の構造健全性データ（１７４）を読み出して処理するデータ通信ネットワーク（１７９）と、を含む、システム。
【請求項２】
前記複数のナノ粒子インクベースの圧電センサ（１１０）をポーリングする電圧供給源（１７６）をさらに含む、請求項１に記載のシステム。
【請求項３】
前記構造物（３０）が、複合材料、金属材料、及び複合材料と金属材料との組み合わせを含むグループから選択された材料を含む、請求項１又は２に記載のシステム。
【請求項４】
前記構造物（３０）が、ナノ粒子インクベースの圧電センサアセンブリ（１２０）の前記分散ネットワークが沈着される曲面を有する、請求項１〜３のいずれか一項に記載のシステム。
【請求項５】
前記ナノ粒子インクベースの圧電センサ（１１０）が、カスタマイズされた形状で前記構造物の上に沈着される、請求項１〜４のいずれか一項に記載のシステム。
【請求項６】
構造物（３０）の構造健全性（１７２）を監視する方法であって、
構造健全性（１７２）の監視対象となっている構造物を提供するステップと、
ナノ粒子インクベースの圧電センサアセンブリ（１２０）の分散ネットワークを形成するため、インク沈着プロセスによって前記構造物（３０）の上に、複数のナノ粒子インクベースの圧電センサ（１１０）と、前記複数のセンサを相互接続する複数の導電性インク電源及び通信線アセンブリ（１４０）と、を沈着するステップと、
電源（１７８）を介して前記分散ネットワークに電力を供給するステップと、
前記センサ（１１０）からの一又は複数の信号を介して前記構造物（３０）の構造健全性データを読み出して処理するデータ通信ネットワーク（１７９）を使用するステップと、を含む、方法。
【請求項７】
前記複数のナノ粒子インクベースの圧電センサ（１１０）の沈着後、前記ナノ粒子インクベースの圧電センサ（１１０）全体にわたって電場を生成するため、電圧供給源（１７６）によって前記ナノ粒子インクベースの圧電センサ（１１０）をポーリングするステップをさらに含む、請求項６に記載の方法。
【請求項８】
前記インク沈着プロセスが、ジェット噴霧沈着プロセス、インクジェット印刷装置プロセス、エアロゾル印刷プロセス、パルスレーザー蒸発法プロセス、フレキソ印刷プロセス、マイクロスプレー印刷プロセス、フラットベッドシルクスクリーン印刷プロセス、ロータリシルクスクリーン印刷プロセス、及びグラビア印刷プロセスを含むグループから選択された直接描画印刷プロセスを含む、請求項６又は７に記載の方法。
【請求項９】
前記データ通信ネットワーク（１７９）は、受信機によって前記ナノ粒子インクベースの圧電センサ（１１０）から受信したデータを読み出し、コンピュータプロセッサによって前記ナノ粒子インクベースの圧電センサ（１１０）から受信したデータを処理する、請求項６〜８のいずれか一項に記載の方法。
【請求項１０】
前記構造健全性データ（１７４）は、接着剥離、弱接着、歪みレベル、水分浸入、材料変化、亀裂、空洞、層間剥離、空隙率、及び構造物の性能に悪影響を及ぼす不規則性を含む、請求項６〜９のいずれか一項に記載の方法。
【手続補正書】
【提出日】平成27年1月15日(2015.1.15)
【手続補正１】
【補正対象書類名】特許請求の範囲
【補正対象項目名】全文
【補正方法】変更
【補正の内容】
【特許請求の範囲】
【請求項１】
第１の色を発する第１の有機ＥＬ素子と、前記第１の色とは異なる第２の色を発する第２の有機ＥＬ素子と、を有し、前記有機ＥＬ素子は、陽極と、陰極と、前記陽極と前記陰極との間にある発光層とを備えている表示装置であって、
前記第１の有機ＥＬ素子の第１の発光層は、前記第２の有機ＥＬ素子に共通に形成されており、
前記第２の有機ＥＬ素子の第２の発光層は、前記第１の発光層に接しかつ、前記第１の発光層よりも前記陰極側に形成されており、
前記第２の発光層は、ホスト材料と発光ドーパント材料とを含み、下記の関係式（Ａ）及び（Ｂ）を満たすように構成されていることを特徴とする表示装置。
｜ＬＵＭＯＤ２｜＞｜ＬＵＭＯＨ２｜  ・・・（Ａ）
｜ＬＵＭＯＤ２｜−｜ＬＵＭＯＨ２｜＞｜ＨＯＭＯＨ２｜−｜ＨＯＭＯＤ２｜  ・・・（Ｂ）
ここで、ＬＵＭＯＨ２、ＨＯＭＯＨ２はそれぞれ、前記第２の発光層に含まれる前記ホスト材料のＬＵＭＯ準位エネルギー、ＨＯＭＯ準位エネルギーを表し、ＬＵＭＯＤ２、ＨＯＭＯＤ２はそれぞれ、前記第２の発光層に含まれる前記発光ドーパント材料のＬＵＭＯ準位エネルギー、ＨＯＭＯ準位エネルギーを表している。
【請求項２】
前記第２の有機ＥＬ素子では、前記第２の発光層のみが発光することを特徴とする請求項１に記載の表示装置。
【請求項３】
前記第２の発光層は、下記の関係式（Ｇ）を満たすように構成されていることを特徴とする請求項１または２に記載の表示装置。
｜ＨＯＭＯＤ２｜＞｜ＨＯＭＯＨ２｜＞｜ＬＵＭＯＤ２｜＞｜ＬＵＭＯＨ２｜ ・・・（Ｇ）
【請求項４】
前記第１の発光層は緑色を発光することを特徴とする請求項１乃至３のいずれか一項に記載の表示装置。
【請求項５】
前記第１の色と前記第２の色とは異なる第３の色を発する第３の有機ＥＬ素子をさらに有し、前記第１の発光層は、前記第３の有機ＥＬ素子に共通に形成されており、
前記第３の有機ＥＬ素子の第３の発光層は、前記第１の発光層に接しかつ、前記第１の発光層よりも前記陰極側に形成されており、
前記第３の発光層は、ホスト材料と発光ドーパント材料とを含み、下記の関係式（Ｃ）及び（Ｄ）を満たすように構成されていることを特徴とする請求項１乃至４のいずれか一項に記載の表示装置。
｜ＬＵＭＯＤ３｜＞｜ＬＵＭＯＨ３｜  ・・・（Ｃ）
｜ＬＵＭＯＤ３｜−｜ＬＵＭＯＨ３｜＞｜ＨＯＭＯＨ３｜−｜ＨＯＭＯＤ３｜  ・・・（Ｄ）
ここで、ＬＵＭＯＨ３、ＨＯＭＯＨ３はそれぞれ、前記第３の発光層に含まれる前記ホスト材料のＬＵＭＯ準位エネルギー、ＨＯＭＯ準位エネルギーを表し、ＬＵＭＯＤ３、ＨＯＭＯＤ３はそれぞれ、前記第３の発光層に含まれる前記発光ドーパント材料のＬＵＭＯ準位エネルギー、ＨＯＭＯ準位エネルギーを表している。
【請求項６】
前記第３の有機ＥＬ素子では、前記第３の発光層のみが発光することを特徴とする請求項５に記載の表示装置。
【請求項７】
前記第３の発光層は、下記の関係式（Ｈ）を満たすように構成されていることを特徴とする請求項５または６に記載の表示装置。
｜ＨＯＭＯＤ３｜＞｜ＨＯＭＯＨ３｜＞｜ＬＵＭＯＤ３｜＞｜ＬＵＭＯＨ３｜ ・・・（Ｈ）
【請求項８】
前記第１の発光層は緑色を発光し、前記第２の発光層は赤色を発光し、前記第３の発光層は青色を発光することを特徴とする請求項５乃至７のいずれか一項に記載の表示装置。
【請求項９】
前記第１の色と前記第２の色とは異なる第３の色を発する第３の有機ＥＬ素子をさらに有し、前記第１の発光層は、前記第３の有機ＥＬ素子にわたって共通に形成されており、
前記第３の有機ＥＬ素子の第３の発光層は、前記第１の発光層に接しかつ、前記第１の発光層よりも前記陽極側に形成されており、
前記第３の発光層は、ホスト材料と発光ドーパント材料とを含み、下記の関係式（Ｅ）及び（Ｆ）を満たすように構成されていることを特徴とする請求項１に記載の表示装置。
｜ＨＯＭＯＤ３｜＜｜ＨＯＭＯＨ３｜  ・・・（Ｅ）
｜ＨＯＭＯＨ３｜−｜ＨＯＭＯＤ３｜＞｜ＬＵＭＯＤ３｜−｜ＬＵＭＯＨ３｜  ・・・（Ｆ）
ここで、ＬＵＭＯＨ３、ＨＯＭＯＨ３はそれぞれ、前記第３の発光層に含まれる前記ホスト材料のＬＵＭＯ準位エネルギー、ＨＯＭＯ準位エネルギーを表し、ＬＵＭＯＤ３、ＨＯＭＯＤ３はそれぞれ、前記第３の発光層に含まれる前記発光ドーパント材料のＬＵＭＯ準位エネルギー、ＨＯＭＯ準位エネルギーを表している。
【請求項１０】
前記第３の有機ＥＬ素子では、前記第３の発光層のみが発光することを特徴とする請求項９に記載の表示装置。
【請求項１１】
前記第３の発光層は、下記の関係式（Ｉ）を満たすように構成されていることを特徴とする請求項９または１０に記載の表示装置。
｜ＬＵＭＯＤ３｜＜｜ＬＵＭＯＨ３｜＜｜ＨＯＭＯＤ３｜＜｜ＨＯＭＯＨ３｜ ・・・（Ｉ）
【請求項１２】
前記第１の発光層は緑色を発光し、前記第２の発光層は赤色を発光し、前記第３の発光層は青色を発光することを特徴とする請求項９乃至１１のいずれか一項に記載の表示装置。
【請求項１３】
請求項１乃至１２のいずれか一項に記載の表示装置と、撮像装置と、を備えた撮像装置。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
遊技盤に打ち込まれた遊技球の検出に基づいて抽選を実行する抽選手段と、
前記遊技盤に配設されたアタッカユニットと、を備えた遊技機において、
前記アタッカユニットは、
前記入賞球となる遊技球を受け入れる入賞口と、
前記入賞口の開閉手段と、
前記アタッカユニット内に形成された遊技領域に流入された遊技球を前記入賞口に向けて流下させて、前記開閉手段の開放時に前記入賞口に遊技球を入球させる第１の流路と、
前記第１の流路を流下していた遊技球が前記入賞口に入球出来なかった場合に前記アタッカユニット内に形成された遊技領域から流出させる第２の流路と、
前記アタッカユニット内に形成された遊技領域に流入された遊技球を前記開閉手段による前記入賞口の開閉に拘わらず、前記入賞口に入球し得ないように流下させる第３の流路と、
遊技球が前記アタッカユニット内に形成された遊技領域に流入されると、遊技球を前記第１の流路又は前記第３の流路に分岐させ、何れかの流路で遊技球を流下させる分岐部と、
を備えることを特徴とする遊技機。
【請求項２】
前記抽選の結果に基づいた演出画面を表示可能な表示手段をさらに有する
ことを特徴とする請求項１記載の遊技機。
【請求項３】
前記表示手段が液晶表示装置である
ことを特徴とする請求項２記載の遊技機。
【手続補正２】
【補正対象書類名】明細書
【補正対象項目名】０００３
【補正方法】変更
【補正の内容】
【０００３】
この種の遊技機では、ワープ通路のように、入口から流入した遊技球を、入口の先の出口まで誘導してそのまま流出させる遊技球通路が知られていた（例えば、特許文献１参照）。
【手続補正３】
【補正対象書類名】明細書
【補正対象項目名】０００４
【補正方法】削除
【補正の内容】
【手続補正４】
【補正対象書類名】明細書
【補正対象項目名】０００６
【補正方法】変更
【補正の内容】
【０００６】
しかしながら、このような流路では遊技球の流下の態様が容易に想像できてしまうため、遊技者を楽しませることには限界があった。
【手続補正５】
【補正対象書類名】明細書
【補正対象項目名】０００７
【補正方法】変更
【補正の内容】
【０００７】
そこで本発明は、複数の流路のうちいずれかの流路を通るかによって、遊技者を楽しませることができる遊技機を提供することを目的とする。
【手続補正６】
【補正対象書類名】明細書
【補正対象項目名】０００８
【補正方法】変更
【補正の内容】
【０００８】
上述の目的を達成するために、本発明は、遊技盤に打ち込まれた遊技球の検出に基づいて抽選を実行する抽選手段と、前記遊技盤に配設されたアタッカユニットと、を備えた遊技機において、前記アタッカユニットは、前記入賞球となる遊技球を受け入れる入賞口と、前記入賞口の開閉手段と、前記アタッカユニット内に形成された遊技領域に流入された遊技球を前記入賞口に向けて流下させて、前記開閉手段の開放時に前記入賞口に遊技球を入球させる第１の流路と、前記第１の流路を流下していた遊技球が前記入賞口に入球出来なかった場合に前記アタッカユニット内に形成された遊技領域から流出させる第２の流路と、前記アタッカユニット内に形成された遊技領域に流入された遊技球を前記開閉手段による前記入賞口の開閉に拘わらず、前記入賞口に入球し得ないように流下させる第３の流路と、遊技球が前記アタッカユニット内に形成された遊技領域に流入されると、遊技球を前記第１の流路又は前記第３の流路に分岐させ、何れかの流路で遊技球を流下させる分岐部と、を備えることを特徴とする遊技機である。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、複数の流路のうちいずれかの流路を通るかによって、遊技者を楽しませる遊技機を提供することができる。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
遊技媒体を用いた遊技を実行する遊技機であって、
前記遊技媒体を検出する検出手段と、
前記検出手段による遊技媒体の検出に基づいて抽選処理を行う抽選手段と、
当該抽選手段による抽選結果に基づいて、所定の演出画面を表示可能な表示領域を備える表示手段と、
前記抽選手段による抽選結果に基づいて可動演出を実行する可動体と、
を備え、
前記可動体による前記可動演出の動作パターンは、前記表示領域の周辺の第１の位置から当該表示領域の前面の第２の位置まで移動する途中で、前記第２の位置に向かうことを抑制した後、前記第２の位置に移動することを期待させる関連挙動を実行し得る
ことを特徴とする遊技機。
【請求項２】
前記遊技媒体は遊技球である
請求項１記載の遊技機。
【請求項３】
前記表示手段は液晶表示装置である
請求項１又は２記載の遊技機。
【手続補正２】
【補正対象書類名】明細書
【補正対象項目名】０００５
【補正方法】変更
【補正の内容】
【０００５】
特許文献１に記載の遊技機によれば、可動部材に興味ある動きを行わせるようにしているが、遊技の興趣を向上させるには十分ではなかった。
【手続補正３】
【補正対象書類名】明細書
【補正対象項目名】０００６
【補正方法】変更
【補正の内容】
【０００６】
本発明は、可動体を用いた演出をより好適に行うことで、興趣を向上させた遊技機を提供することを目的とする。
【手続補正４】
【補正対象書類名】明細書
【補正対象項目名】０００７
【補正方法】変更
【補正の内容】
【０００７】
上述の目的を達成するために、本発明は、遊技媒体を用いた遊技を実行する遊技機であって、前記遊技媒体を検出する検出手段と、前記検出手段による遊技媒体の検出に基づいて抽選処理を行う抽選手段と、当該抽選手段による抽選結果に基づいて、所定の演出画面を表示可能な表示領域を備える表示手段と、前記抽選手段による抽選結果に基づいて可動演出を実行する可動体と、を備え、前記可動体による前記可動演出の動作パターンは、前記表示領域の周辺の第１の位置から当該表示領域の前面の第２の位置まで移動する途中で、前記第２の位置に向かうことを抑制した後、前記第２の位置に移動することを期待させる関連挙動を実行し得ることを特徴とする遊技機である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、可動体を用いた演出がより好適に実行されることによって、興趣が向上された遊技機が提供される。
【手続補正書】
【提出日】平成27年7月24日(2015.7.24)
【手続補正１】
【補正対象書類名】特許請求の範囲
【補正対象項目名】全文
【補正方法】変更
【補正の内容】
【特許請求の範囲】
【請求項１】
遊技盤に打ち込まれた遊技球の検出に基づいて抽選を実行する抽選手段と、
前記遊技盤に配設されたアタッカユニットと、
を備えた遊技機において、
前記アタッカユニットは、入賞球として遊技球を受け入れ可能な入賞口と、遊技領域を内部領域として画成するカバーと、を備え、
前記カバーは、前記内部領域に向けた突出部を有し、
当該突出部によって、前記内部領域に前記入賞口に入球可能な遊技球の流路を形成する
ことを特徴とする遊技機。
【請求項２】
前記抽選の結果に基づいた演出画面を表示可能な表示手段をさらに有する
ことを特徴とする請求項１記載の遊技機。
【請求項３】
前記表示手段が液晶表示装置である
ことを特徴とする請求項２記載の遊技機。
【手続補正２】
【補正対象書類名】明細書
【補正対象項目名】０００３
【補正方法】変更
【補正の内容】
【０００３】
この種の遊技機では、障害釘を植設させることにより遊技球の転動方向を変化させることが知られている（例えば特許文献１参照）。
【手続補正３】
【補正対象書類名】明細書
【補正対象項目名】０００４
【補正方法】削除
【補正の内容】
【手続補正４】
【補正対象書類名】明細書
【補正対象項目名】０００６
【補正方法】変更
【補正の内容】
【０００６】
しかしながら、遊技球の当接によって障害釘が傾くことにより、遊技球の案内方向が変化し、入賞口が遊技球を受け入れる確率が変わってしまうという問題があった。
【手続補正５】
【補正対象書類名】明細書
【補正対象項目名】０００７
【補正方法】変更
【補正の内容】
【０００７】
そこで本発明は、障害釘が傾くことに起因して、入賞口での遊技球の受入確率が変化してしまうおそれのない遊技機を提供することを目的とする。
【手続補正６】
【補正対象書類名】明細書
【補正対象項目名】０００８
【補正方法】変更
【補正の内容】
【０００８】
上述の目的を達成するために、本発明は、遊技盤に打ち込まれた遊技球の検出に基づいて抽選を実行する抽選手段と、前記遊技盤に配設されたアタッカユニットと、を備えた遊技機において、前記アタッカユニットは、入賞球として遊技球を受け入れ可能な入賞口と、遊技領域を内部領域として画成するカバーと、を備え、前記カバーは、前記内部領域に向けた突出部を有し、当該突出部によって、前記内部領域に前記入賞口に入球可能な遊技球の流路を形成することを特徴とする遊技機である。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、障害釘が傾くことに起因して、入賞口での遊技球の受入確率が変化してしまうおそれのない遊技機を提供することができる。
【手続補正書】
【提出日】平成27年6月23日(2015.6.23)
【手続補正１】
【補正対象書類名】特許請求の範囲
【補正対象項目名】全文
【補正方法】変更
【補正の内容】
【特許請求の範囲】
【請求項１】
固定子コア、複数の固定子歯、および前記固定子コアに結合された複数の固定子巻線を備える固定子と、
回転子コア、および該回転子コアに結合された複数の回転子磁石を備え、前記固定子内に配置された回転子と、
を備え、
前記複数の回転子磁石は、前記回転子コアの周囲に沿って恒久的に形成される、連続する正の正弦波形状のプロファイルを有し、
同期調波成分と分調波成分とを含む多相電流が前記複数の固定子巻線に供給されると、前記固定子が固定子分調波及び超調波回転磁場を発生させ、前記回転子の回転が回転子分調波及び超調波回転磁場を発生させるような所定の配向プロファイルを、前記複数の回転子磁石が有し、且つ、前記固定子の分調波及び超調波回転磁場と前記回転子の分調波及び超調波回転磁場とが相互作用して、前記回転子に補助トルクを誘導する、
装置。
【請求項２】
前記電流が前記複数の固定子巻線に供給されると、前記固定子が固定子同期回転磁場を発生し、前記回転子が回転子同期回転磁場を発生し、前記固定子同期回転磁場と前記回転子同期回転磁場とが相互作用して、前記回転子に同期トルクを生成し、前記同期トルクに加えて前記回転子に補助トルクが生成される、請求項１に記載の装置。
【請求項３】
分数スロット集中永久磁石機から構成され、前記複数の固定子巻線が複数の固定子コイルから構成され、該固定子コイルの各々が、前記複数の固定子歯のうち対応する固定子歯に巻回される、請求項１に記載の装置。
【請求項４】
前記所定の配向が、前記回転子コアの外周の１つの半部に沿って配置された１つの極性の１セットの回転子磁石と、前記回転子コアの外周の別の半部に沿って配置された逆の極性の別のセットの回転子磁石とを含み、該複数の回転子磁石が互いに１７°〜１９°の範囲の角度で離間している、請求項１に記載の装置。
【請求項５】
前記外周の前記１つの半部が前記回転子コアの外周に沿って０°〜１８０°の角度で延在し、前記外周の前記別の半部が前記回転子コアの外周に沿って１８０°〜３６０°の角度で延在する、請求項４に記載の装置。
【請求項６】
前記回転子コアが複数の回転子積層体を含み、前記複数の回転子磁石が該複数の回転子積層体内に埋設される、請求項１に記載の装置。
【請求項７】
前記回転子コアの外周に沿って配置され、前記回転子コアの外周に沿って概ね連続する正の正弦波プロファイルを形成する前記複数の回転子磁石によって、前記所定の配向が構成される、請求項１に記載の装置。
【請求項８】
前記複数の回転子磁石が１つのセットのＳ極の磁石と別のセットのＮ極の磁石とから成り、該１つのセットのＳ極の磁石が、前記回転子コアの周囲に沿って該別のセットのＮ極の磁石と交互に配置される、請求項７に記載の装置。
【請求項９】
ｔが前記回転子磁石の厚さであり、ａ１及びｂ１が定数であり、θが０°〜１８０°の範囲にわたる前記回転子コアの周囲を横切る機械的後退角であるとき、前記回転子コアの周囲の１つの半部に沿って配置された各磁石の厚さが、関係式ｔ＝（ａ１＋ｂ１×ｓｉｎθ）によって概ね定められる、請求項７に記載の装置。
【請求項１０】
θが１８０°〜３６０°の範囲にわたるとき、前記回転子コアの周囲の別の半部に沿って配置された各磁石の厚さが、関係式ｔ＝（ａ１−ｂ１×ｓｉｎθ）によって概ね定められる、請求項９に記載の装置。
【請求項１１】
前記回転子コアが複数の回転子積層体を含み、該複数の回転子積層体内に概ね連続する正の正弦波プロファイルが形成されるように該回転子積層体内に配置された複数の回転子磁石によって、前記所定の配向が構成される、請求項１に記載の装置。
【請求項１２】
固定子コア、複数の固定子歯、および該固定子コアに結合された複数の固定子巻線を備える固定子と、
回転子コア、および該回転子コアの周囲に沿って配置された複数の回転子磁石を備え、前記固定子内に配置された回転子と、
を備え、
前記複数の回転子磁石は、前記回転子コアの周囲に沿って恒久的に形成される、連続する正の正弦波形状のプロファイルを有し、
該複数の回転子磁石が、該回転子コアの周囲の１つの半部に沿って配置された１つの極性の１セットの回転子磁石と、該回転子コアの周囲の別の半部に沿って配置された逆の極性の別のセットの回転子磁石とを含み、
隣接するいずれの２つの回転子磁石も、前記回転子コアの周囲に沿って互いに１７°〜１９°の範囲の角度で離間している、
装置。
【請求項１３】
前記周囲が、前記回転子コアの外周である、請求項１２に記載の装置。
【請求項１４】
前記外周の前記１つの半部が、前記回転子コアの外周に沿って０°〜１８０°の角度で延在し、前記外周の前記別の半部が、前記回転子コアの外周に沿って１８０°〜３６０°の角度で延在する、請求項１３に記載の装置。
【請求項１５】
固定子コア、複数の固定子歯、および該固定子コアに結合された複数の固定子巻線を備える固定子と、
回転子コア、および該回転子コアの周囲に沿って配置された複数の回転子磁石を備え、前記固定子内に配置された回転子と、
を備え、
前記複数の回転子磁石は、前記回転子コアの周囲に沿って恒久的に形成される連続する正の正弦波形状のプロファイルを有する、
装置。
【請求項１６】
前記周囲が、前記回転子コアの外周である、請求項１５に記載の装置。
【請求項１７】
前記複数の回転子磁石が、１セットのＳ極の磁石と別のセットのＮ極の磁石とから成り、前記１セットのＳ極の磁石と前記別のセットのＮ極の磁石とが、前記回転子コアの外周に沿って交互に配置される、請求項１６に記載の装置。
【請求項１８】
ｔが前記回転子磁石の厚さであり、ａ１及びｂ１が定数であり、θが０°〜１８０°の範囲にわたる前記回転子コアの周囲を横切る機械的後退角であるとき、前記回転子コアの外周に沿って配置された各磁石の厚さが、関係式ｔ＝（ａ１＋ｂ１×ｓｉｎθ）によって概ね定められる、請求項１６に記載の装置。
【請求項１９】
θが１８０°〜３６０°の範囲にわたるとき、前記回転子コアの外周に沿って配置される各磁石の厚さが、関係式ｔ＝（ａ１−ｂ１×ｓｉｎθ）によって概ね定められる、請求項１６に記載の装置。
【手続補正書】
【提出日】平成27年10月22日(2015.10.22)
【手続補正１】
【補正対象書類名】明細書
【補正対象項目名】０００４
【補正方法】変更
【補正の内容】
【０００４】
上記のカップリングには、一般的な両端開放の筒状の形態（以下、「汎用カップリング」と称する。）に加え、金属板ばね式、金属スリット式、樹脂ベローズ式、さらには、溝と弾性材を組み合わせた特許文献１に示すような所謂フレキシブルカップリングがあり、他にも特許文献２に示すような非接触で被駆動体と出力軸とを連結する磁気カップリングがある。これらのフレシキブルカップリングや磁気カップリングは、軸連結時の軸間の位置ズレを吸収できるメリットがあった。
【手続補正書】
【提出日】平成27年6月19日(2015.6.19)
【手続補正１】
【補正対象書類名】特許請求の範囲
【補正対象項目名】全文
【補正方法】変更
【補正の内容】
【特許請求の範囲】
【請求項１】
Ｘ線光子またはガンマ線光子を放出する励起された利得媒質原子（１２４）を有する利得媒質（１２０）と、
前記利得媒質に隣接し、前記利得媒質より高い屈折率を有する伝送媒質（１３０）と、
１つまたは複数のより低い屈折率層（１４０ａ〜１４０ｎ）を備え、前記伝送媒質に当接する反射鏡（１４０）とを備え、
前記Ｘ線光子または前記ガンマ線光子が、内部全反射を介して前記伝送媒質に閉じ込められ、前記Ｘ線光子または前記ガンマ線光子が、エバネセント波を通して前記励起された利得媒質原子と相互作用して、増幅された誘導放出を生み出し、前記増幅された誘導放出が、高強度のインコヒーレントまたはコヒーレントなＸ線ビームまたはガンマ線ビーム（１７０）を形成する、クレーザデバイス（１００）。
【請求項２】
前記利得媒質が、外部励起源で励起される、請求項１記載のクレーザデバイス。
【請求項３】
前記外部励起の前記源が、電子ビーム、陽子ビーム、イオンビーム、中性子ビーム、および光子ビームのうちの少なくとも１つである、請求項２記載のクレーザデバイス。
【請求項４】
前記電子ビームが、１つまたは複数の冷陰極電界放出デバイスで形成される、請求項３記載のクレーザデバイス。
【請求項５】
前記電子ビーム、前記陽子ビーム、および前記光子ビームが、１つまたは複数の放射性元素で形成される、請求項３記載のクレーザデバイス。
【請求項６】
前記外部励起源が、
最初に前記反射鏡を通って伝送する励起源、または
最初に前記利得媒質を通って伝送する励起源
のうちの少なくとも一方を備える、請求項２乃至５のいずれかに記載のクレーザデバイス。
【請求項７】
前記利得媒質が、１つまたは複数の放射性元素で形成される、請求項１乃至６のいずれかに記載のクレーザデバイス。
【請求項８】
前記利得媒質が、１つまたは複数の放射性元素および１つまたは複数の非放射性元素で形成され、前記１つまたは複数の放射性元素によって内部で励起される、請求項１乃至７のいずれかに記載のクレーザデバイス。
【請求項９】
前記伝送媒質が、低Ｚ材で形成され、
前記利得媒質が、モリブデン、錫、ユウロピウム、ガドリニウム、エルビウム、イッテルビウム、オスミウム、タングステン、金、コバルト、およびウラニウムから成る群のうちの１つまたは複数の群で形成される、請求項１乃至８のいずれかに記載のクレーザデバイス。
【請求項１０】
少なくとも利得媒質および伝送媒質を備える１つまたは複数の反復構造を備え、
第２の利得媒質が、一方の面上で前記反射鏡に、別の面上で第２の伝送媒質に当接し、第２の反射鏡が、前記第２の伝送媒質に当接する、または
第２の利得媒質が、一方の面上で前記第１の伝送媒質に、別の面上で第２の伝送媒質に当接し、前記反射鏡が、前記第２の伝送媒質に当接する、請求項１乃至９のいずれかに記載のクレーザデバイス。
【手続補正書】
【提出日】平成27年3月31日(2015.3.31)
【手続補正１】
【補正対象書類名】明細書
【補正対象項目名】００１９
【補正方法】変更
【補正の内容】
【００１９】
研磨具３８がウェハＷのエッジ部を研磨するにつれて、研磨具３８の位置が変化する。この研磨具３８の位置の変化量はウェハＷのエッジ部の研磨量に相当する。したがって、研磨制御部１１は、位置センサ６３によって取得される研磨具３８の位置の測定値からウェハＷのエッジ部の研磨量を決定することができる。より具体的には、現在の測定値と上述した位置基準値との差分（絶対値）が、現在の研磨量と決定される。この研磨量は、研磨具３８によって除去されたウェハＷの厚み、すなわち研磨深さとして表される。研磨制御部１１は、このようにして求められた研磨量が所定の目標研磨量に達したときに、研磨具３８によるウェハＷのエッジ部の研磨を停止させる。
【手続補正２】
【補正対象書類名】明細書
【補正対象項目名】００２６
【補正方法】変更
【補正の内容】
【００２６】
研磨異常を検出した場合は、研磨制御部１１はウェハＷのエッジ部の研磨を停止させることが好ましく、さらに警報信号を外部に発信することが好ましい。また、研磨異常を検出した場合、研磨制御部１１は後続のウェハの研磨条件を変更するようにしてもよい。例えば、算出された研磨レートが所定の範囲よりも低い場合には、後続のウェハの研磨時の研磨具３８のウェハに対する押し付け圧力を高くし、および／またはウェハの回転速度を高くする。このように、ウェハＷの研磨中に算出された研磨レートを後続のウェハの研磨条件に反映させることにより、研磨異常の発生を未然に防ぐことができる。
【手続補正３】
【補正対象書類名】明細書
【補正対象項目名】００５９
【補正方法】変更
【補正の内容】
【００５９】
上述したように、研磨制御部１１は、ウェハＷの研磨中に、研磨レートを算出し、算出された研磨レートが所定の範囲内にあるか否かを決定し、研磨レートが所定の範囲を超えた回数が所定の回数に達したときには、研磨異常が起きたと判断する。
【手続補正書】
【提出日】平成27年7月10日(2015.7.10)
【手続補正１】
【補正対象書類名】特許請求の範囲
【補正対象項目名】全文
【補正方法】変更
【補正の内容】
【特許請求の範囲】
【請求項１】
ディスクロータを挟む対向位置にシリンダ部と爪部とを有し、これらシリンダ部と爪部とを前記ディスクロータを跨ぐ位置に配置されるディスクパス部によって接続して一体に形成されるディスクブレーキキャリパの加工方法であって、
前記ディスクブレーキキャリパを、前記爪部の先端側が前記シリンダ部から離れるように弾性変形させた状態で保持し、
該保持状態で前記爪部の前記シリンダ部に対向するシリンダ部対向面を切削工具により切削加工する、ディスクブレーキキャリパの加工方法。
【請求項２】
前記シリンダ部対向面を切削工具により切削加工する工程において、前記切削工具で同時に前記シリンダ部の前記爪部に対向する爪部対向面を切削加工する、請求項１に記載のディスクブレーキキャリパの加工方法。
【請求項３】
前記シリンダ部対向面を切削工具により切削加工する工程において、前記切削工具で同時に前記ディスクパス部の内面を切削加工する、請求項１または２に記載のディスクブレーキキャリパの加工方法。
【請求項４】
前記ディスクブレーキキャリパは、前記ディスクパス部が下側となる状態で保持される、請求項１に記載のディスクブレーキキャリパの加工方法。
【請求項５】
前記ディスクブレーキキャリパには、ディスク半径方向外側となる側に平面からなる複数の座面が形成され、該複数の座面が支持された状態で、前記ディスクブレーキキャリパが保持される、請求項１または４に記載のディスクブレーキキャリパの加工方法。
【請求項６】
前記複数の座面のうち、少なくとも１つが爪部側に形成されており、該爪部側の座面は、他の座面に対して傾斜して形成されている、請求項５に記載のディスクブレーキキャリパの加工方法。
【請求項７】
前記ディスクブレーキキャリパの爪部には、ディスク半径方向外側に凹むリセス形成面が形成され、該リセス形成面を押圧して前記爪部の先端側が前記シリンダ部から離れるように弾性変形させる、請求項１に記載のディスクブレーキキャリパの加工方法。
【手続補正書】
【提出日】平成27年9月15日(2015.9.15)
【手続補正１】
【補正対象書類名】特許請求の範囲
【補正対象項目名】全文
【補正方法】変更
【補正の内容】
【特許請求の範囲】
【請求項１】
代謝物の抽出に際して、
まず、水と任意に混合する有機溶媒を添加して、酸化を抑制しながら酵素を失活させる第１ステップと、
次いで、水を添加することにより、親水性の代謝物を液相に溶解させる第２ステップと、
その後、液相を分取する第３ステップとを含むことを特徴とする代謝物の抽出方法。
【請求項２】
前記第１ステップで添加する有機溶媒が、メタノール又はアセトニトリルであることを特徴とする請求項１に記載の代謝物の抽出方法。
【請求項３】
前記第２ステップで添加する水が超純水又は純水であることを特徴とする請求項１又は２に記載の代謝物の抽出方法。
【請求項４】
前記第１ステップで添加する有機溶媒が、水を含む第１の溶液とされていることを特徴とする請求項１又は２に記載の代謝物の抽出方法。
【請求項５】
前記第２ステップで添加する水が、有機溶媒を含む第２の溶液とされていることを特徴とする請求項１又は３に記載の代謝物の抽出方法。
【請求項６】
前記第２の溶液中の有機溶媒の割合が、前記第１の溶液中の有機溶媒の割合よりも小さいことを特徴とする請求項５に記載の代謝物の抽出方法。
【請求項７】
前記第１の溶液と前記第２の溶液の合計量に対する前記第１の溶液中の有機溶媒と前記第２の溶液中の有機溶媒の合計量の割合が５０％以上とされていることを特徴とする請求項５又は６に記載の代謝物の抽出方法。
【請求項８】
請求項１乃至７のいずれかに記載の抽出方法を用いてチオール化合物を抽出することを特徴とする代謝物の抽出方法。
【請求項９】
請求項１乃至８のいずれかに記載の抽出方法を用いて接着細胞から代謝物を抽出することを特徴とする代謝物の抽出方法。
【手続補正２】
【補正対象書類名】明細書
【補正対象項目名】００１４
【補正方法】変更
【補正の内容】
【００１４】
又、前記第１ステップで添加する有機溶媒を、水を含む第１の溶液とすることができる。
【手続補正３】
【補正対象書類名】明細書
【補正対象項目名】００１５
【補正方法】変更
【補正の内容】
【００１５】
又、前記第２ステップで添加する水を、有機溶媒を含む第２の溶液とすることができる。
【手続補正４】
【補正対象書類名】明細書
【補正対象項目名】００１７
【補正方法】変更
【補正の内容】
【００１７】
又、前記第１の溶液と前記第２の溶液の合計量に対する前記第１の溶液中の有機溶媒と前記第２の溶液中の有機溶媒の合計量の割合を５０％以上とすることができる。
【手続補正書】
【提出日】平成26年12月5日(2014.12.5)
【手続補正１】
【補正対象書類名】明細書
【補正対象項目名】発明の名称
【補正方法】変更
【補正の内容】
【発明の名称】コンピュータ、制御方法及び制御プログラム
【手続補正２】
【補正対象書類名】特許請求の範囲
【補正対象項目名】全文
【補正方法】変更
【補正の内容】
【特許請求の範囲】
【請求項１】
プレイヤからの指示に従って第１バトルを実行する第１バトル実行部と、
前記第１バトルにおいて前記プレイヤが勝利しなかった場合、抽選に基づいて第２バトルの発生の有無を決定する処理部と、
前記処理部が前記第２バトルの発生を決定した場合、前記第２バトルを実行する第２バトル実行部と、
前記第２バトル実行部が前記第２バトルを実行しなかった場合、バトルの実行結果を示すための表示データを出力し、前記第２バトル実行部が前記第２バトルを実行した場合、バトルの実行状況を示すための表示データを出力する出力部と、
を有することを特徴とするコンピュータ。
【請求項２】
前記処理部は、特定の当選確率に応じた抽選に基づいて前記第２バトルの発生の有無を決定する、請求項１に記載のコンピュータ。
【請求項３】
前記第１バトルは、ゲーム対象に攻撃するバトルであり、
前記第２バトルは、前記ゲーム対象に更に攻撃するバトルであり、
前記処理部は、前記ゲーム対象に係るパラメータ値に基づいて、前記特定の当選確率を設定する、請求項２に記載のコンピュータ。
【請求項４】
前記処理部は、前記パラメータ値の残量が多いほど前記特定の当選確率が高くなるように前記特定の当選確率を設定する、請求項３に記載のコンピュータ。
【請求項５】
前記処理部は、前記プレイヤ以外の、ゲームに参加するプレイヤ数に基づいて、前記特定の当選確率を設定する、請求項２〜４の何れか一項に記載のコンピュータ。
【請求項６】
前記処理部は、前記第１バトルの実行回数に基づいて、前記特定の当選確率を設定する、請求項２〜５の何れか一項に記載のコンピュータ。
【請求項７】
前記処理部は、前記抽選を所定回数以上行っても前記第２バトルの発生が決定されない場合に、前記特定の当選確率を変更する、請求項２〜６のいずれか一項に記載のサーバ装置。
【請求項８】
前記処理部は、前記第１バトルの実行回数が所定値以上となった場合に、前記第２バトルの発生の有無を決定する、請求項１〜７の何れか一項に記載のコンピュータ。
【請求項９】
前記第１バトルは、プレイヤのカードとゲーム対象が相互に攻撃するバトルであり、前記プレイヤのカードのパラメータは前記第１バトルの実行の度に初期化され、前記ゲーム対象のパラメータは前回の前記第１バトルの実行後の値を維持する、請求項１〜８の何れか一項に記載のコンピュータ。
【請求項１０】
出力部を備えるコンピュータの制御方法であって、
プレイヤからの指示に従って第１バトルを実行し、
前記第１バトルにおいて前記プレイヤが勝利しなかった場合、抽選に基づいて第２バトルの発生の有無を決定し、
前記第２バトルの発生を決定した場合、前記第２バトルを実行し、
前記第２バトルを実行しなかった場合、バトルの実行結果を示すための表示データを前記出力部に出力し、前記第２バトルを実行した場合、バトルの実行状況を示すための表示データを前記出力部に出力する、
ことを含むことを特徴とする制御方法。
【請求項１１】
出力部を備えるコンピュータの制御プログラムであって、
プレイヤからの指示に従って第１バトルを実行し、
前記第１バトルにおいて前記プレイヤが勝利しなかった場合、抽選に基づいて第２バトルの発生の有無を決定し、
前記第２バトルの発生を決定した場合、前記第２バトルを実行し、
前記第２バトルを実行しなかった場合、バトルの実行結果を示すための表示データを前記出力部に出力し、前記第２バトルを実行した場合、バトルの実行状況を示すための表示データを前記出力部に出力する、
ことを前記コンピュータに実行させることを特徴とする制御プログラム。
【手続補正書】
【提出日】平成27年4月8日(2015.4.8)
【手続補正１】
【補正対象書類名】明細書
【補正対象項目名】０００８
【補正方法】変更
【補正の内容】
【０００８】
本発明において、前記支持部材は、前記メインフレーム第１位置とは異なるメインフレーム第２位置で、第２締結部材により前記メインフレームに締結され、さらに、第３締結部材によって、前記メインフレーム第１位置と前記メインフレーム第２位置とを結ぶ直線上とは異なるメインフレーム第３位置で、前記メインフレームに締結され、前記第１〜３締結部材は、前記支持部材の円形の第1〜第３挿通孔に挿通されるねじ体であり、前記
第１締結部材の外径と第１挿通孔の内径との第１隙間が、前記第３締結部材の外径と前記第３挿通孔の内径との第３隙間よりも小さく形成されていることが好ましい。この構成によれば、３点で支持することで、支持部材をメインフレームに対して面接触させることができ、取付面に対して傾斜するのを防ぐことができる。その結果、ロックピンとロック孔の相対位置をより精度よく確保できる。また、第３隙間によりヘッドパイプ、メインフレームの製造誤差、組立誤差等を吸収できる。
【手続補正２】
【補正対象書類名】明細書
【補正対象項目名】００２７
【補正方法】変更
【補正の内容】
【００２７】
第１〜第３のねじ孔７２，７４，７６は、例えば、本体６４に設けられた貫通孔に対応する位置に溶接された溶接ナットにより構成される。第１のねじ孔７２は、ヘッドパイプ５の近傍、すなわち、本体６４の前部で且つ車幅方向の中央部で、ロック操作時のロック孔５８（図２）に後方から対向するメインフレーム第１位置７８に形成されている。第１のねじ孔７２は、平面視で、左右一対のフレーム片６０，６０の前部６０ａ，６０ａの間に位置しており、これにより、溶接ナットがフレーム片６０に干渉するのを防ぐことができる。第２のねじ孔７４は、本体６４の後部寄りの左側部のメインフレーム第２位置８０に形成されている。第３のねじ孔７６は、本体６４の後部寄りの右側部のメインフレーム第３位置８２に形成されている。第２および第３のねじ孔７４，７６は、平面視で、フレーム片６０の車幅方向外側に位置しており、溶接ナットがフレーム片６０に干渉するのを防いでいる。
【手続補正書】
【提出日】平成27年4月8日(2015.4.8)
【手続補正１】
【補正対象書類名】明細書
【補正対象項目名】００１８
【補正方法】変更
【補正の内容】
【００１８】
各エンジン取付部Ｍ１〜Ｍ３には挿通孔（図示せず）が形成され、この挿通孔にボルト（図示せず）が挿通され、エンジンＥに設けたねじ孔（図示せず）に締め付けることで、エンジンＥが車体フレームＦＲに締結される。第２エンジン取付部Ｍ２では、ゴムのような弾性体を介したラバーマウントでエンジンＥが車体フレームＦＲに固定され、第１および第３エンジン取付部Ｍ１，Ｍ３では、弾性体を介さないリジッドマウントでエンジンＥが車体フレームＦＲに締結されている。
【手続補正２】
【補正対象書類名】明細書
【補正対象項目名】００２５
【補正方法】変更
【補正の内容】
【００２５】
メインフレーム１の前端部１ａの車体内側となる内側面に第１サブフレーム片１５の上端部１５ａを重ね、第１サブフレーム片１５の下端部１５ｂの外側面に第２サブフレーム片１７の前端部１７ａを重ね、さらに、第２サブフレーム片１７の後端部１７ｂをメインフレーム１の後部１ｂの外側面に重ねて、車体外側方から挿入したボルト６０，６２，６４により連結されている。このように、左右のサブフレーム４は、メインフレームに着脱可能に固定されている。すなわち、第１サブフレーム片１５の上端部１５ａおよび第２サブフレーム片１７の後端部１７ｂが、サブフレーム４におけるメインフレーム１への被支持部となる。
【手続補正３】
【補正対象書類名】明細書
【補正対象項目名】００２６
【補正方法】変更
【補正の内容】
【００２６】
メインフレーム１の前端部１ａと第１サブフレーム片１５の上端部１５ａの連結は、第１サブフレーム片１５に設けたボルト挿通孔（図示せず）に、先端部に雄ねじが形成されたボルト６０を挿入し、メインフレーム１に設けたねじ孔（図示せず）に締め付けることでなされる。第１サブフレーム片１５の下端部１５ｂと第２サブフレーム片１７の前端部１７ａとの連結は、第２サブフレーム片１７に設けたボルト挿通孔（図示せず）に、ボルト６２を挿入し、第１サブフレーム片１５に設けたねじ孔（図示せず）に締め付けることでなされる。メインフレーム１の後端部１ｂと第２サブフレーム片１７の後端部１７ｂとの連結は、第２サブフレーム片１７に設けたボルト挿通孔（図示せず）に、ボルト６４を挿入し、メインフレーム１に設けたねじ孔（図示せず）に締め付けることでなされる。
【手続補正４】
【補正対象書類名】明細書
【補正対象項目名】００３０
【補正方法】変更
【補正の内容】
【００３０】
左右の第１サブフレーム片１５，１５は、メインフレーム１から下方に延びるにつれて車幅方向外側に開くように延びており、第１サブフレーム片１５，１５の下端部１５ｂ、１５ｂが補強部材１９で連結されている。詳細には、左右のサブフレーム４Ｌ，４Ｒは、第１サブフレーム片１５における第２サブフレーム片１７との連結部近傍で、補強部材１９により連結されている。つまり、左右の第１サブフレーム片１５，１５と補強部材１９とメインフレーム１とで、正面視で三角形状を形成している。各サブフレーム片１５，１５同士を締結により連結する連結部付近に補強部材１９が取り付けられることで、連結部付近の変形が生じ易い部分を効果的に補強することができる。また、補強部材１９は、シリンダヘッド２８の前面に取り付けられた排気管３２の前方で上方に配置されている。
【手続補正５】
【補正対象書類名】明細書
【補正対象項目名】００３６
【補正方法】変更
【補正の内容】
【００３６】
図５の左右の取付プレート７２，７４は、サイドカウル４４（図１）の下部を支持する左右のサイドカウル支持部７６，７８をそれぞれ有している。左右のサイドカウル支持部７６，７８は、左右の取付プレート７２，７４の外側部の上部にそれぞれ溶接により連結されている。左右のサイドカウル支持部７６，７８は、板金を折り曲げ加工して形成したもので、左右の取付プレート７２，７４にそれぞれ溶接により連結されている。また、この実施形態には含まれていないが、補強部材１９の補強部材本体７０に、車体前方に配置される部品、例えばラジエータ４２（図１）を支持するブラケットを取り付けてもよい。
【手続補正６】
【補正対象書類名】明細書
【補正対象項目名】００４０
【補正方法】変更
【補正の内容】
【００４０】
第２側壁９０は、前端で車体内側（左側）に折り曲げられ、第２側壁９０から車体内側斜め前方に延びる第２前壁９２が形成される。第２前壁９２の上面に後方に向かう折り曲げ片９４が設けられ、折り曲げ片９４の後端が右側の取付プレート７２の前面７２ａに溶接により連結される。図７に示すように、第２側壁９０には、左右方向を向いた第３貫通孔９０ａが形成され、第２前壁９２には、前後方向を向いた第４貫通孔９２ａが形成されている。右側の取付プレート７４における第４貫通孔９２ａに対向する位置には、前後方向を向いた第５貫通孔９６が形成されている。
【手続補正書】
【提出日】平成27年1月5日(2015.1.5)
【手続補正１】
【補正対象書類名】明細書
【補正対象項目名】０２７７
【補正方法】変更
【補正の内容】
【０２７７】
（第８態様）：コンピュータに、画像データを取得する画像データ取得機能と、記録ヘッドに具備される複数の記録素子のそれぞれの記録特性に起因する画像のむらを補正する補正処理に用いられる補正係数を設定する補正係数設定機能と、設定された補正係数を用いて画像データに補正処理を施す補正処理機能と、近接する位置の記録素子の記録状態が異常であることを示す異常記録素子検出データを取得する異常記録素子検出データ取得機能と、記録ヘッドに具備される記録素子ごとの記録位置誤差を示す記録位置誤差データを取得する記録位置誤差データ取得機能と、記録素子の記録位置誤差の大きさに応じて複数に分類され、分類ごとに生成された異常記録素子補正用の補正係数を記憶する記憶機能と、を実現させる画像処理プログラムにおいて、補正係数設定機能は、取得された異常記録素子検出データに基づいて判断された近接位置の記録素子に異常が発生した記録素子に対して、記憶された異常記録素子補正用の補正係数を設定し、かつ、記録素子の記録位置誤差データに基づいて、記憶された複数の異常記録素子補正用の補正係数の中から、記録素子の記録位置誤差データに対応した補正係数を設定する画像処理プログラム。
【手続補正書】
【提出日】平成27年1月5日(2015.1.5)
【手続補正１】
【補正対象書類名】明細書
【補正対象項目名】発明の名称
【補正方法】変更
【補正の内容】
【発明の名称】頁めくり装置、書画カメラシステム、及び方法
【手続補正２】
【補正対象書類名】明細書
【補正対象項目名】０００１
【補正方法】変更
【補正の内容】
【０００１】
本発明は、頁めくり装置、書画カメラシステム、及び方法に関する。
【手続補正３】
【補正対象書類名】特許請求の範囲
【補正対象項目名】全文
【補正方法】変更
【補正の内容】
【特許請求の範囲】
【請求項１】
本の頁をめくるための頁めくり装置であって、
開かれた前記本の前記頁に対して吸着又は分離する吸着部と、
前記吸着部を先端部に有し、前記頁のめくり元位置で当該頁に前記吸着部を吸着させ、前記頁のめくり先位置で当該頁から前記吸着部を分離させるべく、前記めくり元位置及び前記めくり先位置で前記吸着部を前記頁の上方で往復動作させるように揺動するアーム部と、
駆動軸を中心に前記アーム部を揺動させる第一駆動部と、
前記吸着部を前記アーム部に対して回転させる第二駆動部とを備えることを特徴とする頁めくり装置。
【請求項２】
請求項１記載の頁めくり装置において、
前記第二駆動部は、前記吸着部を前記頁から分離させる際に前記吸着部の吸着強度を変化させるように前記吸着部を回転させることを特徴とする頁めくり装置。
【請求項３】
請求項２記載の頁めくり装置において、
前記第二駆動部は、前記吸着部を前記頁から分離させる際に前記アーム部の揺動とは反対方向に前記吸着部を回転させることを特徴とする頁めくり装置。
【請求項４】
請求項２又は３記載の頁めくり装置において、
前記第二駆動部は、前記吸着部を前記頁に吸着させる際に前記吸着部の回転を停止させることを特徴とする頁めくり装置。
【請求項５】
請求項２〜４のいずれか一項に記載の頁めくり装置において、
前記第二駆動部は、前記頁に対する前記吸着部の吸着位置が変更されるように前記吸着部を回転させることを特徴とする頁めくり装置。
【請求項６】
請求項５記載の頁めくり装置において、
前記頁めくり回数を計測する計測部を備え、
前記第二駆動部は、前記計測部の計測結果に基づいて、前記吸着部を回転させることを特徴とする頁めくり装置。
【請求項７】
請求項６記載の頁めくり装置において、
前記第二駆動部は、前記計測部の計測結果が所定回数以上である場合に前記吸着部を回転させることを特徴とする頁めくり装置。
【請求項８】
請求項１〜７のいずれか一項に記載の頁めくり装置において、
前記吸着部は、前記頁に粘着する粘着部材を有することを特徴とする頁めくり装置。
【請求項９】
請求項８記載の頁めくり装置において、
前記吸着部は、前記粘着部材を周囲に着脱自在に有する回転ローラを備えることを特徴とする頁めくり装置。
【請求項１０】
請求項９記載の頁めくり装置において、
前記回転ローラは弾性体から形成されていることを特徴とする頁めくり装置。
【請求項１１】
請求項９又は１０記載の頁めくり装置において、
前記粘着部材は両面粘着構造であることを特徴とする頁めくり装置。
【請求項１２】
請求項１１記載の頁めくり装置において、
前記両面粘着構造である粘着部材には、所定の長さ毎にミシン目が設けられていることを特徴とする頁めくり装置。
【請求項１３】
請求項１〜１２のいずれか一項に記載の頁めくり装置において、
前記吸着部は前記アーム部に対して着脱自在であることを特徴とする頁めくり装置。
【請求項１４】
請求項１〜１３のいずれか一項に記載の頁めくり装置において、
前記吸着部の回転軸は、前記アーム部の長手方向に沿っていることを特徴とする頁めくり装置。
【請求項１５】
請求項１〜１４のいずれか一項に記載の頁めくり装置と、
前記本の頁を撮像する撮像手段とを備えた書画カメラシステム。
【請求項１６】
請求項１５記載の書画カメラシステムにおいて、
撮像手段で前記頁を撮像する際には、前記アーム部が前記撮像手段の画角から外れていることを特徴とする書画カメラシステム。
【請求項１７】
粘着性部材を用いて本の頁をめくる方法であって、
開かれた前記本の前記頁のめくり元位置で当該頁に前記粘着性部材を粘着させるステップと、
前記頁のめくり先位置で当該頁から前記粘着性部材を分離させるべく、前記めくり元位置及び前記めくり先位置で前記粘着性部材を前記頁の上方で往復動作させるステップと、
前記頁のめくり先位置で前記粘着性部材を回転させるステップと、
を含む方法。